(57)【要約】  【課題】口腔内の乾燥の防止効果に優れるマスクを提供しようとする。  【解決手段】口を塞ぐ塞ぎ部材を備えるマスクであって、該塞ぎ部材に、該マスクの装着時に口腔内に挿入されてしゃぶられることとなる可撓性長尺物が取付けられた口腔内乾燥防止用マスクであり、また、前記塞ぎ部材の装着時に唇が当接することとなる部位から前記可撓性長尺物が突出する口腔内乾燥防止用マスクである。さらに、前記可撓性長尺物が、口腔中でしゃぶられるしゃぶり子と、該しゃぶり子と前記塞ぎ部材との間に介在して該しゃぶり子と前記塞ぎ部材とを連結する紐状連結物とを備える口腔内乾燥防止用マスクである。  【選択図】図１
2007135748.tif 000002
【特許請求の範囲】
【請求項１】
口を塞ぐ塞ぎ部材を備えるマスクであって、該塞ぎ部材に、該マスクの装着時に口腔内に挿入されてしゃぶられることとなる可撓性長尺物が取付けられた口腔内乾燥防止用マスク。
【請求項２】
前記塞ぎ部材の装着時に唇が当接することとなる部位から前記可撓性長尺物が突出する請求項１に記載の口腔内乾燥防止用マスク。
【請求項３】
前記可撓性長尺物が、口腔中でしゃぶられるしゃぶり子と、該しゃぶり子と前記塞ぎ部材との間に介在して該しゃぶり子と前記塞ぎ部材とを連結する紐状連結物とを備える請求項２に記載の口腔内乾燥防止用マスク。
【請求項４】
前記しゃぶり子が糸房、ゴム状樹脂片、格子形状シート片、布片から選択される請求項３に記載の口腔内乾燥防止用マスク。
【請求項５】
前記可撓性長尺物が、長手方向中間部で弛まされて一端と他端でそれぞれ前記塞ぎ部材に結合された請求項１に記載の口腔内乾燥防止用マスク。
【請求項６】
前記可撓性長尺物が前記塞ぎ部材に着脱自在に取付けられた請求項１ないし５のいずれかに記載の口腔内乾燥防止用マスク。
【請求項７】
人体頭部に被される帽子部と、
後頭部に沿って回して前記塞ぎ部材の下縁部と連結された架け渡し部材と
を備え、
前記帽子部と前記塞ぎ部材とが連結された請求項１ないし６のいずれかに記載の口腔内乾燥防止用マスク。
【請求項８】
前記帽子部が人体頭部表面に密接して該表面を圧迫するように該頭部に被されることとなるネット部材を含んで成る請求項７に記載の口腔内乾燥防止用マスク。
【請求項９】
前記ネット部材の周縁に弾性紐枠が備えられ、該ネット部材が前記塞ぎ部材に重畳されて、該弾性紐枠が自身の長手方向に沿って間歇的に配された結合部を介して該塞ぎ部材に結合された請求項８に記載の口腔内乾燥防止用マスク。
【請求項１０】
前記架け渡し部材が環状であり、前記塞ぎ部材の下縁部に沿って前記架け渡し部材の一部を挿通させた挿通路が設けられた請求項７ないし９のいずれかに記載の口腔内乾燥防止用マスク。
【請求項１１】
前記架け渡し部材が略８の字状の閉ループ状をなし、前記塞ぎ部材の縁部に、該縁部に沿って断続的に１巡する挿通路が設けられ、該挿通路に該架け渡し部材の一部が該挿通路を１巡して挿通された、請求項７ないし９のいずれかに記載の口腔内乾燥防止用マスク。
【請求項１２】
前記架け渡し部材が３個の輪を形成する閉ループ状をなし、前記塞ぎ部材の縁部に、該縁部に沿って断続的に１巡する挿通路が設けられ、該架け渡し部材の一の部分が該挿通路を１巡して挿通されて第一の前記輪をなし、該架け渡し部材の他の部分が前記ネット部材１２２ｇの周縁に係合しつつ該周縁を一巡して第二の前記輪をなし、該架け渡し部材のさらに他の部分が、該架け渡し部材の両端部が互いに固定される部位と、前記ネット部材の周縁下部とを、該周縁下部においては該周縁下部に係合しつつ経由して、第三の前記輪をなした、請求項８または９に記載の口腔内乾燥防止用マスク。
【請求項１３】
前記塞ぎ部材が多孔質体から成る水分保持部を備え前記水分保持部が前記塞ぎ部材に着脱自在に内蔵された請求項１ないし１２のいずれかに記載の口腔内乾燥防止用マスク。
【発明の詳細な説明】
【技術分野】
【０００１】
本発明は、口腔内の乾燥が防止できるマスクに関する。
【背景技術】
【０００２】
低湿度時には口腔内が乾燥しやすい。又、口を開けたまま睡眠する性癖の者は、特に低湿度でなくとも睡眠時に口腔内が乾燥しやすい。口腔内の乾燥は通常のマスクの着用である程度緩和されることもあるが、防止効果は不充分である
【０００３】
又、睡眠時に口の中が乾燥することは高齢者を主体によくある現象であり、起床時に不快であるばかりか、カゼのウイルス等がその乾燥した部位に付着して感染するおそれもあり、対策が望まれている。又、睡眠中に上気道の機能が停滞しているときに、多くの高齢者は、のどがはりついた感じで苦しむことがある。夜中、わざわざ吸入器を使用するのも大変面倒である。
【０００４】
この対策として、マスクを装着して就眠することが行なわれるが、従来のぬれマスクは、マスクの左右両端に取付られた耳かけ紐を耳にかけて装着しており、睡眠時に容易に外れてしまう欠点があった。このような従来のぬれマスクの欠点を改良するものとして、マスクの一部に形成したポケットに保水性材料を格納するとともに、マスク装着用に設けられた二組のバンドが頭部の二ヶ所においてマスクを保持するようにしたマスクが開示されている。（例えば、特許文献１参照。）
【０００５】
しかし、バンドでマスクを保持しただけでは睡眠時に頭部の動きが激しい場合は外れてしまうという問題がある。
【０００６】
又、睡眠時に口呼吸が行なわれると、従来のマスクでは下あごが下がって口があく状態を防ぐことができず、口腔内の乾燥を防止できない。
なお、口の中は、口腔、鼻腔、上気道を含む口中の空洞を意味するが本明細書においては、「口腔内」がこの口の中を意味するものとする。
【特許文献１】特開２００３−３２５６８７号公報
【発明の開示】
【発明が解決しようとする課題】
【０００７】
本発明の目的は、口腔内の乾燥の防止効果に優れるマスクを提供することにある。
【０００８】
本発明の目的は、睡眠中の口腔内の乾燥の防止効果に優れるマスクを提供することにある。
【課題を解決するための手段】
【０００９】
本発明の要旨とするところは、口を塞ぐ塞ぎ部材を備えるマスクであって、該塞ぎ部材に、該マスクの装着時に口腔内に挿入されてしゃぶられることとなる可撓性長尺物が取付けられた口腔内乾燥防止用マスクであることにある。
【００１０】
前記口腔内乾燥防止用マスクにおいては、前記塞ぎ部材の装着時に唇が当接することとなる部位から可撓性長尺物が突出し得る。
【００１１】
前記可撓性長尺物は、口腔中でしゃぶられるしゃぶり子と、該しゃぶり子と前記塞ぎ部材との間に介在して該しゃぶり子と前記塞ぎ部材とを連結する紐状連結物とを備え得る。
【００１２】
前記しゃぶり子は、糸房、ゴム状樹脂片、格子形状シート片、布片から選択され得る。
【００１３】
前記口腔内乾燥防止用マスクにおいては、前記可撓性長尺物が、長手方向中間部で弛まされて一端と他端でそれぞれ前記塞ぎ部材に結合され得る
【００１４】
前記可撓性長尺物は前記塞ぎ部材に着脱自在に取付けられ得る。
【００１５】
また、本発明の要旨とするところは、
人体頭部に被される帽子部と、
後頭部に沿って回して前記塞ぎ部材の下縁部と連結された架け渡し部材と
を含んでなり、
前記帽子部と前記塞ぎ部材とが連結された前記口腔内乾燥防止用マスクであることにある。
【００１６】
前記帽子部は、人体頭部表面に密接して該表面を圧迫するように該頭部に被されることとなるネット部材を含んで成り得る。
【００１７】
前記口腔内乾燥防止用マスクにおいては、前記ネット部材の周縁に弾性紐枠が備えられ得、該ネット部材が前記塞ぎ部材に重畳されて、該弾性紐枠が自身の長手方向に沿って間歇的に配された結合部を介して該塞ぎ部材に結合され得る。
【００１８】
前記口腔内乾燥防止用マスクにおいては、前記架け渡し部材が環状であり得、前記塞ぎ部材の下縁部に沿って前記架け渡し部材を挿通させた挿通路が設けられ得る。
【００１９】
前記口腔内乾燥防止用マスクにおいては、前記架け渡し部材が略８の字状の閉ループ状をなし得、前記塞ぎ部材の縁部に、該縁部に沿って断続的に１巡する挿通路が設けられ得、該挿通路に該架け渡し部材の一部が該挿通路を１巡して挿通され得る。
【００２０】
前記口腔内乾燥防止用マスクにおいては、前記架け渡し部材が３個の輪を形成する閉ループ状をなし得、前記塞ぎ部材の縁部に、該縁部に沿って断続的に１巡する挿通路が設けられ得、該架け渡し部材の一の部分が該挿通路を１巡して挿通されて第一の前記輪をなし得、該架け渡し部材の他の部分が前記ネット部材１２２ｇの周縁に係合しつつ該周縁を一巡して第二の前記輪をなし得、該架け渡し部材のさらに他の部分が、該架け渡し部材の両端部が互いに固定される部位と、前記ネット部材の周縁下部とを、該周縁下部においては該周縁下部に係合しつつ経由して、第三の前記輪をなし得る。
【００２１】
前記口腔内乾燥防止用マスクにおいては、前記塞ぎ部材が多孔質体から成る水分保持部を備え得、前記水分保持部が前記塞ぎ部材に着脱自在に内蔵され得る。
【発明の効果】
【００２２】
本発明により、口腔内の乾燥の防止効果に優れるマスクが提供される。
【００２３】
本発明により、睡眠中の口腔内の乾燥の防止効果に優れるマスクが提供される。
【発明を実施するための最良の形態】
【００２４】
本発明の口腔内乾燥防止用マスクは口を塞ぐ塞ぎ部材を備えるマスクであって、塞ぎ部材に、マスクの装着時に口腔内に挿入されてしゃぶられることとなる可撓性長尺物が取付けられた口腔内乾燥防止用マスクである。
【００２５】
本発明の口腔内乾燥防止用マスクの実施形態について、図面を使用して説明する。なお、本明細書においては、各図にわたって記される同じ符号は同一又は同様の部材やものを示す。図１に示すように、本発明の口腔内乾燥防止用マスク２は、口を少なくとも部分的に塞ぎ横方向に長尺の塞ぎ部材４と、塞ぎ部材４の両端それぞれに配された耳掛け紐６とを備える。塞ぎ部材４の装着時に唇が当接することとなる部位７から、可撓性長尺物８が突出している。可撓性長尺物８は長さが４〜１０ｃｍほどの例えば紐のような柔軟で細長なものである。
【００２６】
口腔内乾燥防止用マスク２を装着したときに可撓性長尺物８は口に咥えられることになる。可撓性長尺物８は口に咥えられるとたとえ睡眠時であっても無意識にしゃぶられることになる。可撓性長尺物８がしゃぶられると、口腔中でうごきまわり自然に唾液の分泌がさかんになり、これにより口腔内の乾燥が防止される。
【００２７】
本発明の口腔内乾燥防止用マスク２は睡眠時に使用することにより、口腔内の乾燥が防止される。
【００２８】
本発明の口腔内乾燥防止用マスク２は覚醒時に使用しても口腔内の乾燥防止効果があり、分泌された唾液により口腔内の菌やウイルスに対して殺菌や滅菌の効果があり、また、口腔内の菌やウイルスが胃のほうに洗い流されるという効果もある。これにより、風邪の予防や拡散防止に寄与する。
【００２９】
可撓性長尺物８は図２に示す可撓性長尺物８ｈのように先端部にしゃぶり子１０が取付けらていてもよい。しゃぶり子１０が口腔中でしゃぶられることにより、自由にうごきまわり唾液の分泌がさらに促進される。紐１２のような紐状連結物１４がしゃぶり子１０と塞ぎ部材４（図１）との間に介在してしゃぶり子１０と塞ぎ部材４とを連結する。
【００３０】
しゃぶり子１０はサイズは口中でしゃぶれるおおきさであれば特に限定されないが例えば径が５ｍｍほどの軟質の樹脂片からなるものである。あるいは縦横１０ｍｍほどの軟質の樹脂片からなるものであってもよい。樹脂片の形状は限定されないが例えば立方体形状や直方体形状や短冊形や球形や円盤状や錐形状や柱形や筒状形や袋状や鉄アレイ形状や環形状や鉤形形状であってもよい。これらの形状が組み合わされた形状であってもよい。軟質の樹脂はゴム状樹脂やゲル状樹脂であってもよい。例えば、シリコーンゴムからなる樹脂片であってもよい。
【００３１】
また、しゃぶり子１０は図３に示すような格子形状シート片１７であってもよい。格子形状は板形状物に多数の貫通孔が形成された形状をいう。しゃぶり子１０は単層あるいは多層の布片であってもよい。あるいは、図４（ａ）に示すように、しゃぶり子１０が糸が房状に集合した１６であってもよい。糸房１６は、図４（ｂ）に示すように、ループ状の房１９からなるものであってもよい。糸房１６やループ状の房１９を構成する糸としては、合繊糸であってもよいが木綿糸や絹糸が好ましい。房の長さは５〜２０ｍｍであることが好ましい。
【００３２】
紐状連結物１４は合繊糸、木綿糸や絹糸のような糸からなる紐１２であることが口腔内に過度の刺激を与えずに好ましいが、織テープや柔軟な樹脂テープであってもよい。紐状連結物１４は木綿糸や絹糸のような天然繊維からなることが好ましい。
【００３３】
可撓性長尺物８は塞ぎ部材４に複数個取り付けられていてもよい。
【００３４】
可撓性長尺物８は塞ぎ部材４に着脱自在に取付けられていることが好ましい。これにより、可撓性長尺物８のみを毎日新しいものに、あるいは洗濯したものに交換して使用することができる。この態様の一例を図５に示す。図５に示す口腔内乾燥防止用マスク２ｎにおいて、可撓性長尺物８が塞ぎ部材４に着脱用部材５０ｔを介して着脱自在に連結されている。着脱用部材５０ｔは引き輪５２ｔからなる。
【００３５】
引き輪５２ｔは細いチューブからなるリング５４ｔの中に、そのチューブと曲率半径を同じにした円弧状のスライド棒５６ｔが組み込まれているものである。そして、このスライド棒には、つまみ用突部５８ｔが設けられ、この突部をつまんでスライド棒をスライドさせることによって、リングに設けた切欠き部が開閉される。なお、スライド棒には、リングのチューブ内に組み込んだスプリングのバネ力を作用させ、通常は、このバネ力によって、スライド棒が上記切欠き部を閉じた状態を保つようにしている。符号６０ｔは引き輪５２ｔを塞ぎ部材４に固定するための台座部である。
【００３６】
紐状連結物１４の根元に環状部６２ｔが形成されており、環状部６２ｔにリング５４ｔが挿通して引き輪５２ｔと紐状連結物１４とが係合し、これにより塞ぎ部材４と可撓性長尺物８とが着脱自在に連結される。
【００３７】
塞ぎ部材４と可撓性長尺物８とを着脱自在に連結する態様としては、着脱用部材５０ｔとしてはばね体をフック状に成形してばね体復元力を利用してフックとリング５４ｔとの係合が着脱自在になされるものなどでもよい。また、メンファスナーやホックやボタンのような着脱自在連結手段を用いてもよい。着脱自在連結手段はこれらに限定されない。
【００３８】
本発明の他の態様においては、図６に示すように、可撓性長尺物８ｒが、長手方向中間部３３で弛まされて一端３５と他端３７でそれぞれ塞ぎ部材４ｒに結合されて口腔内乾燥防止用マスク２ｒが構成される。口腔内乾燥防止用マスク２ｒが装着されたときに、可撓性長尺物８ｒの中間部３３がしゃぶられる。可撓性長尺物８ｒは合繊糸、木綿糸や絹糸のような糸からなる紐あるいは帯状物であることが口腔内に過度の刺激を与えずに好ましいが、柔軟な樹脂テープであってもよい。塞ぎ部材４ｒと可撓性長尺物８ｒとは着脱自在に結合されていてもよい。
【００３９】
塞ぎ部材４は、ガーゼ等の通常のマスクに用いられる素材から作られていればよいが、図７に示す口腔内乾燥防止用マスク２ａのように、水分保持部１２ｃが袋筒状部１４ｃを備える塞ぎ部材４ａの中空部に内蔵されていてもよい。水分保持部１２ｃは塞ぎ部材４ａから着脱自在となっていて交換が可能であることが好ましい。水分保持部１２ｃとしては連通細孔を有する多孔質体が好ましく、この多孔質体としてはフェルト状の繊維集合体、樹脂製スポンジ、海綿体を含んで構成された板状体、ガーゼ等の布を多層に重畳して縫合したもの等が挙げられるが、連通細孔を有して水分保持能を有するものであればこれらに限定されない。
【００４０】
また、本発明においては、塞ぎ部材４が水分保持部１２ｃに積極的に水分を供給する水分供給手段を備えていてもよい。
【００４１】
本発明の口腔内乾燥防止用マスク（２など）を睡眠時に装着する場合は、架け用長尺可撓性部材から成る、図８に示す、耳掛け紐６や頭頂部頭掛け紐５６−１や、後頭部頭掛け紐５６−２や、首掛け紐５６−３を用いて装着を確実なものにすることが好ましい。例えば、図８（ａ）に示すように、耳掛け紐６を耳に掛ける以外に、頭頂部頭掛け紐５６−１及び／又は後頭部頭掛け紐５６−２を頭部に巻きまわして、左右の耳掛け紐６を、頭頂部頭掛け紐５６−１や後頭部頭掛け紐５６−２を介して連結することが好ましい。頭頂部頭掛け紐５６−１や後頭部頭掛け紐５６−２は耳の前がわで耳掛け紐６と連結されていることが好ましい。頭頂部頭掛け紐５６−１や後頭部頭掛け紐５６−２は通常の紐でもよいがゴムひもや輪ゴムのような弾性紐から成ることが好ましい。あるいは、図８（ｂ）に示すように、耳掛け紐６を耳に掛ける以外に、ゴムひもや輪ゴムのような弾性紐５０を後頭部の耳の後ろに当たる位置で巻きまわして、左右の耳掛け紐６を耳の後ろがわで弾性紐５０で連結する（図８（ｂ））ことが好ましい。図８に示す態様より、睡眠時の無意識な動きによる塞ぎ部材（４など）のずれが防止される。耳掛け紐６も弾性紐であることが好ましい。
【００４２】
さらに、図８（ｃ）に示すように、頭頂部頭掛け紐５６−１及び／又は後頭部頭掛け紐５６−２を頭部に巻きまわして、頭頂部頭掛け紐５６−１を塞ぎ部材４の端部と連結し、かつ、首掛け紐５６−３を後頭部の下方あるいは首の後ろに巻き回す態様であってもよい。あるいは、図８（ｄ）に示すように、頭頂部頭掛け紐５６−１及び／又は後頭部頭掛け紐５６−２を頭部に巻きまわして、頭頂部頭掛け紐５６−１を塞ぎ部材４の端部と連結し、かつ、首掛け紐５６−３を後頭部の下方あるいは首の後ろに巻き回し、同時に耳掛け紐６を耳に掛ける態様であってもよい。
【００４３】
―、l０じ５６
本発明の口腔内乾燥防止用マスクの態様の他の一例においては、図９に示すように、口腔内乾燥防止用マスク１０１は、ネット部材から構成され人体頭部１０２に被されて頭部１０２の表面に密接して装着される帽子部１０４と、口あるいは口とあごとを覆う塞ぎ部材１０８と、後頭部もしくは首のうしろがわに沿って回して塞ぎ部材１０８の両端に架け渡される架け渡し部材１１０とを含んでなり、帽子部１０４の前縁部と塞ぎ部材１０８の上縁部が連結された構成となっている。なお、架け渡し部材１１０は後頭部もしくは後頭部に近い首のうしろがわに沿って回されるが、後頭部と首のうしろがわとの境は明確でないので本明細書においては、後頭部と、後頭部に近い首のうしろがわとをあわせて後頭部と称する。
【００４４】
帽子部１０４はネット部材が伸長された状態で頭部の表面に密接して頭部を覆う。帽子部１０４は略半球殻形状（椀状）であることが好ましいが、頭頂部が開口されていてもよい。帽子部１０４により密接する部分の頭部表面が圧迫され、頭部の少なくとも一部に万遍なくネット部材によるしめつけが生じて、睡眠時に帽子部１０４が頭部からはずれたりずれたりすることは極めて少なく、従って、帽子部１０４に連結されている塞ぎ部材１０８は、睡眠時に口から外れることが極めて少ない。又、架け渡し部材１１０が後頭部に沿って回されて塞ぎ部材１０８の両端に架け渡されるので塞ぎ部材１０８は口あるいは口とあごに装着された状態でさらに確実に固定される。帽子部１０４はネット部材から成ることが好ましいが、帽子部１０４の頭部を締め付ける主要部分がネット部材から構成されていてもよい。
【００４５】
ネット部材はひと目が０．５〜３ｃｍほどのネットから成るものであることが好ましい。ネットの素材である糸条は通常のスパン糸やフィラメント糸であってもよいが、伸縮性の加工糸や、ポリウレタン糸やゴム糸を含む弾性糸であることが、ネット部材の伸縮性が大きくなり、確実に頭部を保持できて好ましい。ネットは網組織で面を形成したものが好ましいが、編組織で面を形成したものでもよい。伸縮性は伸長されたときに弾性的に回復する回復能を有する性質をいう。ネット部材としては頭用の筒状ネット包帯を所定の寸法に切断して頭頂を覆う部分を封止して用いてもよい。頭用の椀状ネット包帯を用いてもよい。
【００４６】
架け渡し部材１１０は例えば紐あるいはバンドから成ることが好ましい。又、架け渡し部材１１０は必ずしも伸縮性を有するものでなくともよいが伸縮性を有することが好ましい。又、公知の長さ調節手段を備えていてもよい。架け渡し部材１１０はループ状に塞ぎ部材１０８の両端に架け渡されていてもよい。あるいは、２個の部材から成り後頭部又は塞ぎ部材１０８の一端近傍で接合されるように面ファスナーのような接合手段を備えていてもよい。架け渡し部材１１０が紐である場合は後頭部で結んで架け渡す態様であってもよい。
【００４７】
本発明においては、図９に示すように、塞ぎ部材１０８が塞ぎ部材が口とあごとを覆うサイズを有し、口とあごとを覆う態様であることが好ましい。塞ぎ部材の下縁部１１６があごを覆うことにより、架け渡し部材１１０が後頭部に回されて架けられたときに、下縁部１１６にあごを引き上げる力が生じて、睡眠時に無意識に口が開いたままになることが防止され、より確実に口腔内の乾燥が防止される。なお、睡眠時に無意識に口が開いたままになることを積極的に防止する必要のない場合の使用においては、塞ぎ部材１０８が口を覆うサイズを有していればよい。
【００４８】
塞ぎ部材１０８は例えば布で作られるが、口に当接する部分の厚みを例えば２〜３ｃｍと厚くし、下縁部１１６の部分の厚みを、口に当接する部分よりうすい例えば１〜２ｍｍとくしておくと、口腔内乾燥防止用マスク１０１を装着したときに下縁部１１６が確実にあごを保持して引き上げることになるので好ましい。
【００４９】
塞ぎ部材１０８は横幅１５〜２０ｃｍ、縦幅１２〜１４ｃｍほどの四角形状であることが好ましい。下縁部１１６は縦幅６〜７ｃｍであることが好ましい。
【００５０】
本発明においては、帽子部１０４がネット部材の一部分を纏めて一時的に把持し、このネット部材の人体頭部を覆う部分の面積を減少させる把持手段１４０を備え、この伸縮性ネット部材の人体頭部を覆う部分の面積が調節可能とされていることが好ましい。これにより、ネット部材が窄んで頭部表面を締め付ける状態が保持されるので、帽子部１０４が頭部表面を万遍なく確実に圧迫し、頭部に保持されて、睡眠時に頭部から口腔内乾燥防止用マスク１０１が外れることが殆んどない。把持手段１４０の一例としては紐から成るものが挙げられる。紐の中央部がネット部材に固定されていて、ネット部材をその紐が固定された部分で窄めて纏めたのち、その紐で括ってもよい。
【００５１】
本発明の又さらに他の態様においては、図１０に示す口腔内乾燥防止用マスク１０１ａのように、塞ぎ部材１０８ａの片面にネット部材１５０が配された構成であってもよい。ネット部材１５０は、その外周の形状とサイズが塞ぎ部材１０８ａの外周の形状とサイズと略同じとされている。ネット部材１５０は塞ぎ部材１０８ａの口と当接するがわの面５２に重畳されて、ネット部材１５０の外周縁部が塞ぎ部材１０８ａの外周縁部に固定されている。
【００５２】
ネット部材１５０の外周縁には外周縁を一巡する環状の弾性紐枠１６２が配され、弾性紐枠１６２は塞ぎ部材１０８ａに結合部１６３を介して結合されている。結合部１６３は弾性紐枠１６２の長手方向に沿って間歇的に配されている。ネット部材１５０の縁部が弾性紐枠１６２と周方向に沿って係合又は連結している。このような構成の口腔内乾燥防止用マスク１０１ａは、ネット部材１５０と塞ぎ部材１０８ａの間に頭部を挿入して装着される。頭部の挿入によりネット部材１５０及び弾性紐枠１６２が弾性的に変形し、ネット部材１５０が頭部を覆って帽子部が形成される。
【００５３】
塞ぎ部材１０８ａの下縁部１１６ａは、口腔内乾燥防止用マスク１０１ａが装着されたときにあごを覆う部分である。塞ぎ部材１０８ａの下縁１６４には架け渡し部材１１０ａが配されている。架け渡し部材１１０ａはバンド１７０から成り、両端それぞれで塞ぎ部材１０８ａの両下隅１６５、１６５で塞ぎ部材１０８ａに固定され、長さ調整手段１６８を備える。架け渡し部材１１０ａが塞ぎ部材１０８ａの両下隅１６５、１６５に一端を結合した一対の紐から成り、結んで締結する態様であってもよい。
【００５４】
図１０に示す態様は、非使用時には１枚の四角なシートの形状となり、携帯や収納に便利である。
【００５５】
本発明の又さらに他の態様においては、図１０に示す口腔内乾燥防止用マスク１０１ａにおける塞ぎ部材１０８ａの上縁中央に切り欠き部１９０が形成された、図１１に示す口腔内乾燥防止用マスク１０１ｂが開示される。口腔内乾燥防止用マスク１０１ｂは、装着された状態で切り欠き部１９０の部分に鼻の穴の出口近傍を位置させることができるので、鼻呼吸が容易になる。又、切り欠き部１９０の両端部に弾性紐枠１６２との結合部１６３ａを設けることにより、目をよけてネットを装着しかつ装着された状態で頭部の締め付けが確実になり好ましい。
【００５６】
本発明のさらに別の態様においては、図１２に示す口腔内乾燥防止用マスク１０１ｅが開示される。口腔内乾燥防止用マスク１０１ｅは帽子部１０４と、口とあごとを覆う塞ぎ部材１０８ｃと、後頭部もしくは首のうしろがわに沿って回される紐状の架け渡し部材１１０ｃとを備える。塞ぎ部材１０８ｃの下縁部２００に沿って架け渡し部材１１０ｃを挿通させた挿通路２０２が設けられる。挿通路２０２は例えば塞ぎ部材１０８ｃを構成する布の下辺部を折り曲げて筒状に縫合して形成される。架け渡し部材１１０ｃには、塞ぎ部材１０８ｃの下縁部の一の端部分から他の端部分に後頭部を経由して至る部分の中間に、弾性紐枠１６２と架け渡し部材１１０ｃとを連結する連結部２０４が設けられている。
【００５７】
塞ぎ部材１０８ｃと弾性紐枠１６２とは結合部１６３ｃを介して結合されている。結合部１６３ｃは、上縁部の両端部分それぞれに設けられている。
図１３にネット部材１５０と弾性紐枠１６２とから構成される帽子部１０４を示す。
【００５８】
図１４に口腔内乾燥防止用マスク１０１ｅが装着された状態を示す。この装着状態においては、連結部２０４が後頭部のほぼ真後ろに位置することとなる。弾性紐枠１６２、ネット部材１５０、架け渡し部材１１０ｃ、塞ぎ部材１０８ｃが、図１４に示す配置で頭部を囲んで緊縛するこの装着状態により、塞ぎ部材１０８ｃが確実に口とあごとを覆って保持され、睡眠中の無意識の顔の動きによっても、塞ぎ部材１０８ｃが口からはずれることがほとんどない。
【００５９】
図１５に本発明のまたさらに別の態様の口腔内乾燥防止用マスク１０１ｓを示す。口腔内乾燥防止用マスク１０１ｓは、塞ぎ部材１０８ｃとネット部材１５０の弾性紐枠１６２またはネット部材１５０の縁部とを結合する結合部１６３ｃが、上縁部の両端部分と下縁部の両端部分のそれぞれに設けられているほかは、口腔内乾燥防止用マスク１０１ｅと構成が同じである。
【００６０】
架け渡し部材１１０ｃの材質は特に限定されないが弾性紐であることが口腔内乾燥防止用マスク１０１ｅの装着を確実にして好ましい。図１６に示すように、弾性紐からなる架け渡し部材１１０ｄが挿通路２０２に２重の輪をなすように２重に挿通されることが架け渡し部材１１０ｄの弾性力による塞ぎ部材１０８ｃの緊張固定を確実にして好ましい。架け渡し部材１１０ｄの両端部は互いに自身の長手方向に沿うようにそろえられて、結合部材２０６を介して互いに固定される。結合部材２０６は、自身の長手方向に沿うようにそろえられた架け渡し部材１１０ｄの両端部を嵌入させて固定する筒状子２０８からなるものであるが、架け渡し部材１１０ｄの両端部を互いに固定する機能を有するものであれば機構は問わない。結合部材２０６を用いずに、架け渡し部材１１０ｄの両端部を結んで互いに固定してもよい。図１６に示す態様においては、筒状子２０８を架け渡し部材１１０ｄの長手方向に移動させることにより輪の周長を調節できる。
【００６１】
また、本発明の他の態様においては、図１７に示す口腔内乾燥防止用マスク１０１ｆのように、弾性紐からなる架け渡し部材１１０ｆが挿通路２０２ｆに挿通路２０２ｆを１巡して挿通されることが架け渡し部材１１０ｆの弾性力による塞ぎ部材１０８ｆの緊張固定をさらに確実にして好ましい。架け渡し部材１１０ｆの両端部は互いに自身の長手方向に沿うようにそろえられて、結合部材２０６を介して互いに固定される。結合部材２０６を用いずに、架け渡し部材１１０ｆの両端部を結んで互いに固定してもよい。
【００６２】
この態様においては、架け渡し部材１１０ｆは略８の字状の閉ループ状をなしている。塞ぎ部材１０８ｆの縁部には、その縁部に沿って断続的に１巡する挿通路２０２ｆが設けられている。挿通路２０２ｆには架け渡し部材１１０ｆの一部分が挿通路２０２ｆを１巡して挿通されている。挿通路２０２ｆにはところどころ切れ目あるいは欠落の部分２１０があり、その部分で架け渡し部材１１０ｆが挿通路２０２ｆから露出する構成となっている。また、塞ぎ部材１０８ｆの上部に位置する挿通路２０２ｆの中間部２５０においては、架け渡し部材１１０ｆと挿通路２０２ｆの壁とが縫い合わせ等により固定されていることが好ましい。露出した架け渡し部材１１０ｆを引っ張ることにより、架け渡し部材１１０ｆの位置の偏りを調整でき、塞ぎ部材１０８ｆの縁部をひだが形成されるように巾着絞り状に均等に縮めて、塞ぎ部材１０８ｆを略半球殻の形状（椀状）にすることができる。これにより、塞ぎ部材１０８ｆで確実に口を塞ぐことができる。挿通路２０２ｆは例えば塞ぎ部材１０８ｆの縁部を袋縫いして形成される。
【００６３】
連結部２０４は図１６、図１７に示す態様においては、リング２１２から構成されているが、弾性紐枠１６２と架け渡し部材１１０ｄあるいは架け渡し部材１１０ｆとを連結する機能を有するものであれば機構は問わない。紐状物で弾性紐枠１６２と架け渡し部材１１０ｄあるいは架け渡し部材１１０ｆとをしばって連結してもよい。安全ピンで弾性紐枠１６２と架け渡し部材１１０ｄあるいは架け渡し部材１１０ｆとを連結してもよい。
【００６４】
塞ぎ部材１０８ｃあるいは塞ぎ部材１０８ｆには、この塞ぎ部材を着脱自在に収納する収納部が備えられてもよい。また、塞ぎ部材１０８ｃあるいは塞ぎ部材１０８ｆは、装着時に少なくとも上下の唇の間に位置させられる突起が形成されてもよい。あるいはまた、塞ぎ部材１０８ｃあるいは塞ぎ部材１０８ｆは、連通細孔を有する多孔質体から成る水分保持部を備えてもよい。この水分保持部はこの塞ぎ部材に着脱自在に内蔵されてもよい。
【００６５】
また、本発明のさらに他の態様においては、架け渡し部材が３個の輪を形成する閉ループ状をなし、塞ぎ部材の縁部に、この縁部に沿って断続的に１巡する挿通路が設けられ、架け渡し部材の一の部分が挿通路を１巡して挿通されて第一の前記輪をなし、架け渡し部材の他の部分が前記ネット部材１２２ｇの周縁に係合しつつこの周縁を一巡して第二の前記輪をなし、架け渡し部材のさらに他の部分が、架け渡し部材の両端部が互いに固定される部位と、前記ネット部材の周縁下部とを、周縁下部においてはこの周縁下部に係合しつつ経由して第三の前記輪をなす。
【００６６】
この態様を図１８に示す。図１８の口腔内乾燥防止用マスク１０１ｇにおいては、弾性紐からなる１本の架け渡し部材１１０ｇが挿通路２０２ｇに挿通路２０２ｇを１巡して挿通される。架け渡し部材１１０ｇの両端部は互いに自身の長手方向に沿うようにそろえられて、結合部材２０６を介して互いに固定される。結合部材２０６を用いずに、架け渡し部材１１０ｇの両端部を結んで互いに固定してもよい。
【００６７】
この態様においては、架け渡し部材１１０ｇは略８の字状の閉ループ状をなしている。塞ぎ部材１０８ｇの縁部には、その縁部に沿って断続的に１巡する挿通路２０２ｇが設けられている。挿通路２０２ｇには架け渡し部材１１０ｇの一部分が挿通路２０２ｇを１巡して挿通されている。露出した架け渡し部材１１０ｇを引っ張ることにより、架け渡し部材１１０ｇの位置の偏りを調整でき、塞ぎ部材１０８ｇの縁部をひだが形成されるように巾着絞り状に均等に縮めて、塞ぎ部材１０８ｇを略半球殻の形状（椀状）にすることができる。
【００６８】
架け渡し部材１１０ｇはさらに固定連結リング１２０ｇを介して塞ぎ部材１０８ｇに係合連結される。複数の固定連結リング１２０ｇが塞ぎ部材１０８ｇの側縁部に間隔をおいて取付けられている。架け渡し部材１１０ｇは各固定連結リング１２０ｇに挿通されて塞ぎ部材１０８ｇの縁部を一巡する。
【００６９】
塞ぎ部材１０８ｇは帽子部１０４ｇと連結している。帽子部１０４ｇは略半球殻の形状（椀状）もしくは略平面状のネット部材１２２ｇから構成される。ネット部材１２２ｇの縁部と塞ぎ部材１０８ｇの縁部を一巡する部分の塞ぎ部材１０８ｇが重なるように連結している。この連結は、例えば、図１８に示すようにネット部材１２２ｇの縁部を構成するストランド１２４ｇがそのストランド１２４ｇと平行に位置する部分の塞ぎ部材１０８ｇと絡み組織を形成することによりなされる。架け渡し部材１１０ｇを引っ張ることにより、ネット部材１２２ｇの縁部をひだが形成されるように巾着絞り状に均等に縮めて、帽子部１０４ｇを頭部に確実に密着することができる。
【００７０】
このように、図１８に示す態様においては、1本の架け渡し部材１１０ｇが３回輪をなして両端部が互いに固定されている。第一の輪１３０ｇは挿通路２０２ｇを１巡し、第二の輪１３２ｇはネット部材１２２ｇの周縁を一巡し、第三の輪１３４ｇは両端部が互いに固定される部位とネット部材１２２ｇの周縁下部を経由して一巡している。架け渡し部材１１０ｇの第二の輪１３２ｇを形成する部分と、架け渡し部材１１０ｇの第三の輪１３４ｇを形成する部分とは、塞ぎ部材１０８ｇの周縁下部の位置で各浮遊連結リング１２１ｇにそろって挿通されて互いに係合連結されている。第三の輪１３４ｇは各浮遊連結リング１２１ｇも経由して一巡している。
【００７１】
なお、図１６〜１７においては、塞ぎ部材に取付けられた可撓性長尺物は不図示である。
【００７２】
その他、本発明は、主旨を逸脱しない範囲で当業者の知識に基づき種々なる改良、修正、変更を加えた態様で実施できるものである。
【図面の簡単な説明】
【００７３】
【図１】本発明の口腔内乾燥防止用マスクの態様の一例の構成を示す斜視模式図である。
【図２】本発明の口腔内乾燥防止用マスクにおける可撓性長尺物を示す斜視模式図である。
【図３】図２とは異なる態様の可撓性長尺物を示す斜視模式図である。
【図４】図３とは異なる態様の可撓性長尺物を示す斜視模式図である。
【図５】本発明の口腔内乾燥防止用マスクの他の態様の一例の構成を示す斜視模式図である。
【図６】本発明の口腔内乾燥防止用マスクのさらに他の態様の一例の構成を示す斜視模式図である。
【図７】本発明の口腔内乾燥防止用マスクのさらに他の態様の一例の構成を示す斜視模式図である。
【図８（ａ）】本発明の口腔内乾燥防止用マスクの装着の態様の一例を示す一部透視説明図である。
【図８（ｂ）】本発明の口腔内乾燥防止用マスクの装着の他の態様の一例を示す一部透視説明図である。
【図８（ｃ）】本発明の口腔内乾燥防止用マスクの装着の別の態様の一例を示す一部透視説明図である。
【図８（ｄ）】本発明の口腔内乾燥防止用マスクの装着のさらに別の態様の一例を示す一部透視説明図である。
【図９】本発明の口腔内乾燥防止用マスクの構成の他の一例を示す斜視模式図である。
【図１０】本発明の口腔内乾燥防止用マスクのさらに他の態様の一例の構成を示す斜視模式図であり、図１０（ａ）は外側（口に当接するがわと反対のがわ）からみた図、図１０（ｂ）は内側（口に当接するがわ）からみた図である。
【図１１】本発明の口腔内乾燥防止用マスクの又さらに他の態様の一例の構成を示す斜視模式図である。
【図１２】本発明の口腔内乾燥防止用マスクのさらに又別の態様の一例の構成を示す斜視模式図である。
【図１３】本発明の口腔内乾燥防止用マスクに用いられる帽子部の態様の一例の構成を示す斜視模式図である。
【図１４】本発明の口腔内乾燥防止用マスクが装着された状態を示す説明図である。
【図１５】本発明の口腔内乾燥防止用マスクのさらに又別の態様の一例の構成を示す斜視模式図である。
【図１６】本発明の口腔内乾燥防止用マスクにおいて、架け渡し部材が挿通路に２重の輪をなすよう挿通された態様を示す模式図である。
【図１７】本発明の口腔内乾燥防止用マスクにおいて、架け渡し部材が挿通路に図１６に示す態様とは異なる態様で挿通された態様を示す模式図である。
【図１８】本発明の口腔内乾燥防止用マスクにおいて、架け渡し部材が挿通路に図１７に示す態様とは異なる態様で挿通された態様を示す模式図である。
【符号の説明】
【００７４】
２、２ａ、２ｂ、２ｎ、２ｒ、１０１、１０１ａ、１０１ｂ、１０１ｅ、１０１ｆ、１０１ｇ、１０１ｓ：口腔内乾燥防止用マスク
４、４ａ、４ｒ、１０８、１０８ａ、１０８ｃ、１０８ｆ：塞ぎ部材
６：耳掛け紐
８、８ｈ、８ｒ：可撓性長尺物
１０：しゃぶり子
１２：紐
１２ｃ：水分保持部
１４：紐状連結物
１６：糸房
５０ｔ：着脱用部材
１０４：帽子部
１１０、１１０ｃ、１１０ｄ、１１０ｆ：架け渡し部材
１４０：把持手段
１６２：弾性紐枠
１６３、１６３ｃ：結合部
２０２、２０２ｆ：挿通路
【図１】
2007135748.tif 000003
【図２】
2007135748.tif 000004
【図３】
2007135748.tif 000005
【図４】
2007135748.tif 000006
【図５】
2007135748.tif 000007
【図６】
2007135748.tif 000008
【図７】
2007135748.tif 000009
【図８（ａ）】
2007135748.tif 000010
【図８（ｂ）】
2007135748.tif 000011
【図８（ｃ）】
2007135748.tif 000012
【図８（ｄ）】
2007135748.tif 000013
【図９】
2007135748.tif 000014
【図１０】
2007135748.tif 000015
【図１１】
2007135748.tif 000016
【図１２】
2007135748.tif 000017
【図１３】
2007135748.tif 000018
【図１４】
2007135748.tif 000019
【図１５】
2007135748.tif 000020
【図１６】
2007135748.tif 000021
【図１７】
2007135748.tif 000022
【図１８】
2007135748.tif 000023